(57)【要約】【課題】  高圧冷媒と低圧冷媒を熱交換する空気調和装置の過冷熱交換器においては、冷房時と暖房時で冷媒の流れる方向が逆になるため、どちらかの運転モードにおいては高圧冷媒と低圧冷媒が相互に平行流となり熱交換効率が悪くなる。そこで、これを解決する。【解決手段】  低圧冷媒と高圧冷媒を熱交換する過冷却熱交換器１３を備えた空気調和装置において、過冷却熱交換器１３を第１，第２の２つの熱交換器１３Ａ，１３Ｂに分割し、第１の熱交換器１３Ａは又は第２の熱交換器１３Ｂの何れか一方を高圧冷媒と低圧冷媒が対向流になるように配置する一方、他方側第２の熱交換器１３Ｂは又は第１の熱交換器１３Ａを高圧冷媒と低圧冷媒が平行流となるように配置する。そして、それら各熱交換器１３Ａ，１３Ｂには、例えば低圧冷媒を吸入する吸入管１４の外周に高圧液冷媒管１５を巻きつけた構成のものを採用して、小型化を図る。【選択図】        図１
2007085647.tif 000002
【特許請求の範囲】
【請求項１】
低圧冷媒と高圧冷媒を熱交換する過冷却熱交換器（１３）を備えた空気調和装置において、過冷却熱交換器（１３）を第１，第２の２つの熱交換器（１３Ａ），（１３Ｂ）に分割し、第１の熱交換器（１３Ａ）又は第２の熱交換器（１３Ｂ）の何れか一方を高圧冷媒と低圧冷媒が対向流になるように配置する一方、他方側第２の熱交換器（１３Ｂ）又は第１の熱交換器（１３Ａ）を高圧冷媒と低圧冷媒が平行流となるように配置したことを特徴とする空気調和装置。
【請求項２】
第１，第２の熱交換器（１３Ａ），（１３Ｂ）は、それぞれ低圧冷媒吸入管（１４）の外周に高圧液冷媒管（１５）を巻きつけて構成されていることを特徴とする請求項１記載の空気調和装置。
【請求項３】
第１，第２の熱交換器（１３Ａ），（１３Ｂ）は、それぞれ低圧冷媒吸入管（１４）の外周に同低圧冷媒吸入管（１４）よりも大径の高圧液冷媒管１５を同軸構造に嵌合して構成されていることを特徴とする請求項１記載の空気調和装置。
【発明の詳細な説明】
【技術分野】
【０００１】
本願発明は、過冷却熱交換器を用いた空気調和装置に関するものである。
【背景技術】
【０００２】
図４は、従来の過冷却熱交換器を用いた空気調和装置の構成を示している。
【０００３】
同空気調和装置は、圧縮機１、四路切換弁２、冷房運転時に凝縮器として作用し、暖房運転時に蒸発器として作用する室外機側熱交換器３、暖房用膨張弁４、レシーバー５、冷房用膨張弁６、および冷房運転時に蒸発器として作用し、暖房運転時に凝縮器として作用する室内機側熱交換器８等を上記四路切換弁２を介して順次接続して、図示のような空気調和用の冷凍サイクルを構成している。
【０００４】
そして、上記四路切換弁２の切換作動により、冷房運転時には図中に実線矢印で示す方向に、また暖房運転時には同図中に点線矢印で示す方向に、それぞれ冷媒が可逆的に流通せしめられて、冷房又は暖房作用が実現される。
【０００５】
上記室外機側熱交換器３および室内機側熱交換器８は、それぞれ多数の冷媒パスを備えて構成されている。したがって、分流器部分の冷媒分配性能を最大限に向上させたとしても、各冷媒パスの冷媒の均等な分配が困難となる。
【０００６】
そこで、室外機側熱交換器３又は室内機側熱交換器８を蒸発器として作用させている場合には、それらの出口側冷媒が適切な湿り状態となるように、上記暖房用膨張弁４又は冷房用膨張弁６の減圧量が適切に設定されている。そのようにすると、室外機側熱交換器３又は室内機側熱交換器８に例えば冷媒の偏流が生じたとしても、蒸発器としての能力が最大限に確保されることになり、蒸発器の可及的なコンパクト化が図られる。
【０００７】
また、一方凝縮器出口側冷媒の過冷却をとり、蒸発器側のエンタルピ差を拡大して循環量を落とし、蒸発器側の圧損を低減することによって、さらなる蒸発器の性能向上を図るために、過冷却熱交換器として内管となる低圧冷媒吸入管１４と外管となる高圧液冷媒管１５とからなる二重管構造の液−ガス熱交換器１３が設けられている。
【０００８】
この液−ガス熱交換器１３は、例えば冷媒流量、二重管長さ、外管の内径、内管の外径が、所定の関係で適切に設定されている。
【０００９】
このように液−ガス熱交換器１３が設けられていると、蒸発器出口側の冷媒が過熱され、圧縮機１への液バックを防止することができるとともに、凝縮器出口側の冷媒が過冷却され、蒸発器側のエンタルピ差を拡大して冷媒の循環量を落とすことができるので、その圧損も低減でき、蒸発器８（または蒸発器３）のさらなるコンパクト化を図ることができる（一例として特許文献１参照）。
【００１０】
【特許文献１】特開平５−３３２６４１号公報（明細書１−５頁、図１−５）
【発明の開示】
【発明が解決しようとする課題】
【００１１】
ところが、上記のように高圧冷媒と低圧冷媒を熱交換する過冷却熱交換器においては、冷房時と暖房時で冷媒の流れる方向が逆になるため、どちらかの運転モードにおいて、それらが平行流となり、熱交換効率が悪くなる問題がある。例えば図４の場合、冷房時は対向流であるが暖房時は平行流となり、熱交換効率が落ちる。
【００１２】
本願発明は、このような問題を解決するためになされたもので、低圧冷媒と高圧冷媒を熱交換する過冷却熱交換器を備えた空気調和装置において、過冷却熱交換器を第１，第２の２つの熱交換器に分割し、それらの内の何れか一方側の熱交換器は高圧冷媒と低圧冷媒が対向流になるように配置する一方、他方側の熱交換器は高圧冷媒と低圧冷媒が平行流となるように配置することによって、上記従来の問題を適切に解決した空気調和装置を提供することを目的とするものである。
【課題を解決するための手段】
【００１３】
本願発明は、同目的を達成するために、次のような課題解決手段を備えて構成されている。
【００１４】
（１）  請求項１の発明
この発明の課題解決手段は、低圧冷媒と高圧冷媒を熱交換する過冷却熱交換器１３を備えた空気調和装置において、過冷却熱交換器１３を第１，第２の２つの熱交換器１３Ａ，１３Ｂに分割し、第１の熱交換器１３Ａ又は第２の熱交換器１３Ｂの何れか一方を高圧冷媒と低圧冷媒が対向流になるように配置する一方、他方側第２の熱交換器１３Ｂ又は第１の熱交換器１３Ａを高圧冷媒と低圧冷媒が平行流となるように配置したことを特徴としている。
【００１５】
前述のように高圧冷媒と低圧冷媒を熱交換する過冷却熱交換器１３では、冷房時と暖房時で冷媒の流れる方向が逆になるため、どちらかの運転モードにおいて、それらが平行流となり、熱交換効率が悪くなる問題がある。
【００１６】
ところが、上記のように、当該過冷却熱交換器１３を第１の熱交換器１３Ａと第２の熱交換器１３Ｂとの２つの熱交換器に分割し、何れか一方の熱交換器１３Ａ又は１３Ｂを高圧冷媒と低圧冷媒が対向流になるように配置する一方、他方側の熱交換器１３Ｂ又は１３Ａを高圧冷媒と低圧冷媒が平行流となるように配置すると、冷房と暖房で冷媒の流れ方向が変化しても、変わりなく過冷却熱交換器１３の熱交換性能を維持することができるようになる。
【００１７】
（２）  請求項２の発明
この発明の課題解決手段は、上記請求項１の発明の課題解決手段の構成において、第１，第２の熱交換器１３Ａ，１３Ｂは、それぞれ低圧冷媒吸入管１４の外周に高圧液冷媒管１５を巻きつけて構成されていることを特徴としている。
【００１８】
このように、第１，第２の熱交換器１３Ａ，１３Ｂを、それぞれ低圧冷媒吸入管１４に対して高圧液冷媒管１５を巻きつけた構成にすると、熱交換器自体の容積を大きくする必要がなく、過冷却熱交換器１３Ａ，１３Ｂの可及的な小型化を図ることができる。
【００１９】
（３）  請求項３の発明
この発明の課題解決手段は、上記請求項１の発明の課題解決手段の構成において、第１，第２の熱交換器１３Ａ，１３Ｂは、それぞれ低圧冷媒吸入管１４の外周に同低圧冷媒吸入管１４よりも大径の高圧液冷媒管１５を同軸構造に嵌合して構成されていることを特徴としている。
【００２０】
このように、過冷却用の第１，第２の熱交換器１３Ａ，１３Ｂを、それぞれ低圧冷媒吸入管１４に対して高圧液冷媒管１５を同軸構造に嵌合した二重管構造にすると、過冷却熱交換器１３Ａ，１３Ｂ自体の構造が簡単になる。
【発明の効果】
【００２１】
以上の結果、本願発明によると、冷房と暖房で冷媒の流れ方向が変化しても、過冷却熱交換器の高い熱交換性能を維持することができる。その結果、蒸発器のさらなるコンパクト化を図ることができる。
【００２２】
またその場合において、各熱交換器を、低圧冷媒の吸入管に対して高圧液冷媒管を巻きつける構成にすると、可及的に過冷却熱交換器自体の小型化が図られる。
【発明を実施するための最良の形態】
【００２３】
添付した図面の図１および図２は、本願発明の最良の実施の形態に係る空気調和装置の冷凍回路の全体および要部の構成を示している。
【００２４】
本実施の形態の空気調和装置は、先ず図１に示すように、圧縮機１、四路切換弁２、冷房運転時に凝縮器として作用し、暖房運転時に蒸発器として作用する室外機側熱交換器３、暖房用膨張弁４、レシーバー５、冷房用膨張弁６、および冷房運転時に蒸発器として作用し、暖房運転時に凝縮器として作用する室内機側熱交換器８等を上記四路切換弁２を介して順次接続して、図示のような空気調和用の冷凍サイクルを構成している。
【００２５】
そして、上記四路切換弁２の切換作動により、冷房運転時には図中に実線矢印で示す方向に、また暖房運転時には同図中に点線矢印で示す方向に、それぞれ冷媒が可逆的に流通せしめられて、冷房又は暖房作用が実現される。
【００２６】
そして、本実施の形態でも、前述の図４の場合と同様に、低圧冷媒の吸入管１４と高圧液冷媒管１５とからなり、低圧冷媒と高圧冷媒を熱交換する過冷却熱交換器としての液−ガス熱交換器１３が設けられている。
【００２７】
このように液−ガス熱交換器１３が設けられていると、すでに述べたように蒸発器出口側の冷媒が過熱され、圧縮機１への液バックを防止することができるとともに、凝縮器出口側の冷媒が過冷却され、蒸発器側のエンタルピ差を拡大して冷媒の循環量を落とすことができるので、その圧損も低減でき、蒸発器（冷房時の室内機側熱交換器８又は暖房時の室外機側熱交換器３）の可及的なコンパクト化を図ることができる。
【００２８】
しかし、本実施の形態の場合には、同液−ガス熱交換器１３は、前述の図４の場合とは異なり、相互に逆方向に冷媒が流れる第１の液−ガス熱交換器１３Ａと第２の液−ガス熱交換器１３Ｂとの２つの液−ガス熱交換器に分割され、例えば第１の熱交換器１３Ａは高圧冷媒と低圧冷媒が対向流になるように配置されている一方、第２の熱交換器１３Ｂは高圧冷媒と低圧冷媒が平行流となるように配置されている。
【００２９】
したがって、このような構成では、冷房時と暖房時で冷媒の流れる方向が変化しても、図示の如く、変わりなく液−ガス熱交換器１３の性能を維持することができる。その結果、暖房時にも変りなく凝縮器出口側の冷媒が過冷却され、蒸発器側のエンタルピ差を拡大して冷媒の循環量を落とすことができる。
【００３０】
しかも同第１，第２の液−ガス熱交換器１３Ａ，１３Ｂは、それぞれ冷房時の室内機側熱交換器（蒸発器）８又は暖房時の室外機側熱交換器（蒸発器）３から四路切換弁２を介して圧縮機１の冷媒吸入口に戻る既存の低圧冷媒吸入管１４の外周に対して、同低圧冷媒吸入管１４よりも小径の凝縮器出口側からの高圧液冷媒管１５を、例えば図２に詳細に示すように、相互に逆向きで螺旋状に巻きつけることにより構成されている。そのため、過冷却熱交換器１３自体の容積も小さく、可及的な小型化が図られる。
【００３１】
また、過冷却熱交換効率の向上により、蒸発器自体の小型、コンパクト化にも有効に寄与し得る。
【００３２】
さらに、図２のように既存の低圧冷媒吸入管１４に巻くことで、吸入ガス圧損の上昇を抑えることができ、ＣＯＰの低下をなくすことが可能である。
【００３３】
なお、図２中の符号１６は、低圧冷媒吸入管１４におけるガス冷媒用のマフラーである。
【００３４】
（その他の実施の形態）
以上の実施の形態では、図２に示すように、分割された第１，第２の熱交換器１３Ａ，１３Ｂを、四方切換弁２から圧縮機１の冷媒吸入口に到る既存の低圧冷媒吸入管１４に対して細径の高圧液冷媒管１５を螺旋状に巻き付ける構造としたが、同第１，第２の熱交換器１３Ａ，１３Ｂは、例えば図３に示すように、低圧冷媒吸入管１４の外周に同低圧冷媒吸入管１４よりも大径の高圧液冷媒管１５を同軸構造に嵌合した二重管構造のものとして、それらを相互に冷媒が逆向きに流れるように配置したものでもよい。
【００３５】
このように、過冷却用の第１，第２の熱交換器１３Ａ，１３Ｂを、それぞれ低圧冷媒吸入管１４に対して高圧液冷媒管１５を同軸構造に嵌合した二重管構成にすると、過冷却熱交換器自体の構造が簡単になる。
【図面の簡単な説明】
【００３６】
【図１】図１は、本願発明の最良の実施の形態に係る空気調和装置の構成を示す冷凍回路図である。
【図２】図２は、同装置の要部である第１，第２の２つの液−ガス熱交換器部分の拡大図である。
【図３】図３は、本願発明のその他の実施の形態に係る空気調和装置の第１，第２の２つの液−ガス熱交換器部分の拡大図である。
【図４】図４は、従来例に係る空気調和装置の構成を示す冷凍回路図である。
【符号の説明】
【００３７】
１は圧縮機、２は四路切換弁、３は室外機側熱交換器、４，６は膨張弁、５はレシーバー、８は室内機側熱交換器、１３Ａは第１の熱交換器、１３Ｂは第２の熱交換器、１４は低圧冷媒吸入管、１５は高圧液冷媒管、１６はマフラーである。
【図１】
2007085647.tif 000003
【図２】
2007085647.tif 000004
【図３】
2007085647.tif 000005
【図４】
2007085647.tif 000006
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
圧縮機（１）、四路切換弁（２）、冷房運転時に凝縮器として作用し、暖房運転時に蒸発器として作用する室外機側熱交換器（３）、および冷房運転時に蒸発器として作用し、暖房運転時に凝縮器として作用する室内機側熱交換器（８）を上記四路切換弁（２）を介して順次接続し、上記四路切換弁（２）の切換作動により冷媒が可逆的に流通せしめられるようにするとともに、上記四路切換弁（２）と圧縮機（１）の吸入側との間に、低圧冷媒吸入管（１４）と高圧液冷媒管（１５）とからなっていて低圧冷媒と高圧冷媒とを熱交換する過冷却熱交換器（１３）を設けてなる空気調和装置において、上記過冷却熱交換器（１３）の連続する高圧液冷媒管（１５）を第１，第２の２つの熱交換器（１３Ａ），（１３Ｂ）部分に分割するとともに、それら第１の熱交換器（１３Ａ）部分と第２の熱交換器（１３Ｂ）部分を相互に逆方向に冷媒が流れるようにすることによって、それら第１，第２の熱交換器（１３Ａ），（１３Ｂ）部分の何れか一方側熱交換器（１３Ａ）又は（１３Ｂ）では高圧液冷媒管（１５）の高圧冷媒と低圧冷媒吸入管（１４）の低圧冷媒とが相互に対向流になるようにする一方、他方側熱交換器（１３Ｂ）又は（１３Ａ）部分では高圧液冷媒管（１５）の高圧冷媒と低圧冷媒吸入管（１４）の低圧冷媒とが相互に平行流となるようにしたことを特徴とする空気調和装置。
【請求項２】
第１，第２の熱交換器（１３Ａ），（１３Ｂ）部分は、それぞれ低圧冷媒吸入管（１４）の外周に高圧液冷媒管（１５）を相互に逆方向に巻きつけて構成されていることを特徴とする請求項１記載の空気調和装置。
【請求項３】
第１，第２の熱交換器（１３Ａ），（１３Ｂ）部分は、それぞれ低圧冷媒吸入管（１４）の外周に同低圧冷媒吸入管（１４）よりも大径の高圧液冷媒管１５を同軸構造に嵌合し、冷媒の入口と出口を相互に逆方向に設けて構成されていることを特徴とする請求項１記載の空気調和装置。
【手続補正２】
【補正対象書類名】明細書
【補正対象項目名】全文
【補正方法】変更
【補正の内容】
【発明の詳細な説明】
【技術分野】
【０００１】
本願発明は、過冷却熱交換器を用いた空気調和装置に関するものである。
【背景技術】
【０００２】
図４は、従来の過冷却熱交換器を用いた空気調和装置の構成を示している。
【０００３】
同空気調和装置は、圧縮機１、四路切換弁２、冷房運転時に凝縮器として作用し、暖房運転時に蒸発器として作用する室外機側熱交換器３、暖房用膨張弁４、レシーバー５、冷房用膨張弁６、および冷房運転時に蒸発器として作用し、暖房運転時に凝縮器として作用する室内機側熱交換器８等を上記四路切換弁２を介して順次接続して、図示のような空気調和用の冷凍サイクルを構成している。
【０００４】
そして、上記四路切換弁２の切換作動により、冷房運転時には図中に実線矢印で示す方向に、また暖房運転時には同図中に点線矢印で示す方向に、それぞれ冷媒が可逆的に流通せしめられて、冷房又は暖房作用が実現される。
【０００５】
上記室外機側熱交換器３および室内機側熱交換器８は、それぞれ多数の冷媒パスを備えて構成されている。したがって、分流器部分の冷媒分配性能を最大限に向上させたとしても、各冷媒パスの冷媒の均等な分配が困難となる。
【０００６】
そこで、室外機側熱交換器３又は室内機側熱交換器８を蒸発器として作用させている場合には、それらの出口側冷媒が適切な湿り状態となるように、上記暖房用膨張弁４又は冷房用膨張弁６の減圧量が適切に設定されている。そのようにすると、室外機側熱交換器３又は室内機側熱交換器８に例えば冷媒の偏流が生じたとしても、蒸発器としての能力が最大限に確保されることになり、蒸発器の可及的なコンパクト化が図られる。
【０００７】
また、一方凝縮器出口側冷媒の過冷却をとり、蒸発器側のエンタルピ差を拡大して循環量を落とし、蒸発器側の圧損を低減することによって、さらなる蒸発器の性能向上を図るために、過冷却熱交換器として内管となる低圧冷媒吸入管１４と外管となる高圧液冷媒管１５とからなる二重管構造の液−ガス熱交換器１３が設けられている。
【０００８】
この液−ガス熱交換器１３は、例えば冷媒流量、二重管長さ、外管の内径、内管の外径が、所定の関係で適切に設定されている。
【０００９】
このように液−ガス熱交換器１３が設けられていると、蒸発器出口側の冷媒が過熱され、圧縮機１への液バックを防止することができるとともに、凝縮器出口側の冷媒が過冷却され、蒸発器側のエンタルピ差を拡大して冷媒の循環量を落とすことができるので、その圧損も低減でき、蒸発器８（または蒸発器３）のさらなるコンパクト化を図ることができる（一例として特許文献１参照）。
【００１０】
【特許文献１】特開平５−３３２６４１号公報（明細書１−５頁、図１−５）
【発明の開示】
【発明が解決しようとする課題】
【００１１】
ところが、上記のように高圧冷媒と低圧冷媒を熱交換する過冷却熱交換器においては、冷房時と暖房時で冷媒の流れる方向が逆になるため、どちらかの運転モードにおいて、それらが平行流となり、熱交換効率が悪くなる問題がある。例えば図４の場合、冷房時は対向流であるが暖房時は平行流となり、熱交換効率が落ちる。
【００１２】
本願発明は、このような問題を解決するためになされたもので、低圧冷媒と高圧冷媒を熱交換する過冷却熱交換器を備えた空気調和装置において、過冷却熱交換器を第１，第２の２つの熱交換器に分割し、それらの内の何れか一方側の熱交換器は高圧冷媒と低圧冷媒が対向流になるように配置する一方、他方側の熱交換器は高圧冷媒と低圧冷媒が平行流となるように配置することによって、上記従来の問題を適切に解決した空気調和装置を提供することを目的とするものである。
【課題を解決するための手段】
【００１３】
本願各発明は、同目的を達成するために、次のような課題解決手段を備えて構成されている。
【００１４】
（１）  請求項１の発明
この発明は、圧縮機１、四路切換弁２、冷房運転時に凝縮器として作用し、暖房運転時に蒸発器として作用する室外機側熱交換器３、および冷房運転時に蒸発器として作用し、暖房運転時に凝縮器として作用する室内機側熱交換器（８）を上記四路切換弁２を介して順次接続し、上記四路切換弁２の切換作動により冷媒が可逆的に流通せしめられるようにするとともに、上記四路切換弁２と圧縮機１の吸入側との間に、低圧冷媒吸入管１４と高圧液冷媒管１５とからなっていて低圧冷媒と高圧冷媒とを熱交換する過冷却熱交換器１３を設けてなる空気調和装置において、上記過冷却熱交換器１３の連続する高圧液冷媒管１５を第１，第２の２つの熱交換器１３Ａ，１３Ｂ部分に分割するとともに、それら第１の熱交換器１３Ａ部分と第２の熱交換器１３Ｂ部分を相互に逆方向に冷媒が流れるようにすることによって、それら第１，第２の熱交換器１３Ａ，１３Ｂ部分の何れか一方側熱交換器１３Ａ又は１３Ｂでは高圧液冷媒管１５の高圧冷媒と低圧冷媒吸入管１４の低圧冷媒とが相互に対向流になるようにする一方、他方側熱交換器１３Ｂ又は１３Ａ部分では高圧液冷媒管１５の高圧冷媒と低圧冷媒吸入管１４の低圧冷媒とが相互に平行流となるようにしたことを特徴としている。
【００１５】
前述のように、高圧冷媒と低圧冷媒を熱交換する過冷却熱交換器１３では、冷房時と暖房時で冷媒の流れる方向が逆になるため、そのままの構成では、どちらかの運転モードにおいて、それらが平行流となり、熱交換効率が悪くなる問題がある。
【００１６】
ところが、上記のように、当該過冷却熱交換器１３の連続する高圧液冷媒管１５を第１，第２の２つの熱交換器１３Ａ，１３Ｂ部分に分割するとともに、それら第１の熱交換器１３Ａ部分と第２の熱交換器１３Ｂ部分を相互に逆方向に冷媒が流れるようにすることによって、それら第１，第２の熱交換器１３Ａ，１３Ｂ部分の何れか一方側熱交換器１３Ａ又は１３Ｂでは高圧液冷媒管１５の高圧冷媒と低圧冷媒吸入管１４の低圧冷媒とが相互に対向流になるようにする一方、他方側熱交換器１３Ｂ又は１３Ａ部分では高圧液冷媒管１５の高圧冷媒と低圧冷媒吸入管１４の低圧冷媒とが相互に平行流となるようにすると、冷房時および暖房時共に冷媒の半分を対向流に形成することができ、冷房時および暖房時共に同じ熱交換効率になるので、冷房時と暖房時で冷媒の流れの方向が変化しても、変わりなく過冷却熱交換器１３の熱交換性能を維持することができるようになる。
【００１７】
（２）  請求項２の発明
この発明の課題解決手段は、上記請求項１の発明の構成において、第１，第２の熱交換器１３Ａ，１３Ｂ部分は、それぞれ低圧冷媒吸入管１４の外周に高圧液冷媒管１５を相互に逆方向に巻きつけて構成されていることを特徴としている。
【００１８】
このように、第１，第２の熱交換器１３Ａ，１３Ｂ部分を、それぞれ低圧冷媒吸入管１４の外周に対して高圧液冷媒管１５を巻きつけた構成にすると、さらに熱交換器自体の容積を大きくする必要がなく、過冷却熱交換器１３Ａ，１３Ｂの可及的な小型化を図ることができる。
【００１９】
また、過冷却熱交換効率の向上により、蒸発器自体の小型、コンパクト化にも有効に寄与し得る。
【００２０】
さらに、既存の低圧冷媒吸入管１４に対して高圧液冷媒管１５を巻くことで、吸入ガス圧損の上昇を抑えることができ、ＣＯＰの低下をなくすことが可能である。
【００２１】
（３）  請求項３の発明
この発明の課題解決手段は、上記請求項１の発明の構成において、第１，第２の熱交換器１３Ａ，１３Ｂ部分は、それぞれ低圧冷媒吸入管１４の外周に対して同低圧冷媒吸入管１４よりも大径の高圧液冷媒管１５を同軸構造に嵌合し、冷媒の入口と出口を相互に逆方向に設けて構成されていることを特徴としている。
【００２２】
このように、過冷却用の第１，第２の熱交換器１３Ａ，１３Ｂを、それぞれ低圧冷媒吸入管１４に対して高圧液冷媒管１５を同軸構造に嵌合し、冷媒の入口と出口が相互に逆方向の二重管構造にすると、さらに過冷却熱交換器１３Ａ，１３Ｂ自体の構造が簡単になる。
【発明の効果】
【００２３】
以上の結果、本願発明によると、冷房と暖房で冷媒の流れ方向が変化しても、それとは関係なく冷房時、暖房時共に全く同様に過冷却熱交換器の高い熱交換性能を維持することができる。その結果、蒸発器のさらなるコンパクト化を図ることができる。
【００２４】
さらに、その場合において、可及的に過冷却熱交換器自体の小型化、構造の簡単化をも図ることができる。
【発明を実施するための最良の形態】
【００２５】
添付した図面の図１および図２は、本願発明の最良の実施の形態に係る空気調和装置の冷凍回路の全体および要部の構成を示している。
【００２６】
本実施の形態の空気調和装置は、先ず図１に示すように、圧縮機１、四路切換弁２、冷房運転時に凝縮器として作用し、暖房運転時に蒸発器として作用する室外機側熱交換器３、暖房用膨張弁４、レシーバー５、冷房用膨張弁６、および冷房運転時に蒸発器として作用し、暖房運転時に凝縮器として作用する室内機側熱交換器８等を上記四路切換弁２を介して順次接続して、図示のような空気調和用の冷凍サイクルを構成している。
【００２７】
そして、上記四路切換弁２の切換作動により、冷房運転時には図中に実線矢印で示す方向に、また暖房運転時には同図中に点線矢印で示す方向に、それぞれ冷媒が可逆的に流通せしめられて、冷房又は暖房作用が実現される。
【００２８】
そして、本実施の形態でも、前述の図４の場合と同様に、低圧冷媒の吸入管１４と高圧液冷媒管１５とからなり、低圧冷媒と高圧冷媒を熱交換する過冷却熱交換器としての液−ガス熱交換器１３が設けられている。
【００２９】
このように液−ガス熱交換器１３が設けられていると、すでに述べたように蒸発器出口側の冷媒が過熱され、圧縮機１への液バックを防止することができるとともに、凝縮器出口側の冷媒が過冷却され、蒸発器側のエンタルピ差を拡大して冷媒の循環量を落とすことができるので、その圧損も低減でき、蒸発器（冷房時の室内機側熱交換器８又は暖房時の室外機側熱交換器３）の可及的なコンパクト化を図ることができる。
【００３０】
しかし、本実施の形態の場合には、同液−ガス熱交換器１３は、前述の図４の場合とは異なり、相互に逆方向に冷媒が流れる第１の液−ガス熱交換器１３Ａと第２の液−ガス熱交換器１３Ｂとの２つの液−ガス熱交換器に分割され、例えば第１の熱交換器１３Ａは高圧冷媒と低圧冷媒が対向流になるように配置されている一方、第２の熱交換器１３Ｂは高圧冷媒と低圧冷媒が平行流となるように配置されている。
【００３１】
したがって、このような構成では、冷房時と暖房時で冷媒の流れる方向が変化しても、図示の如く、変わりなく液−ガス熱交換器１３の性能を維持することができる。その結果、暖房時にも変りなく凝縮器出口側の冷媒が過冷却され、蒸発器側のエンタルピ差を拡大して冷媒の循環量を落とすことができる。
【００３２】
しかも同第１，第２の液−ガス熱交換器１３Ａ，１３Ｂは、それぞれ冷房時の室内機側熱交換器（蒸発器）８又は暖房時の室外機側熱交換器（蒸発器）３から四路切換弁２を介して圧縮機１の冷媒吸入口に戻る既存の低圧冷媒吸入管１４の外周に対して、同低圧冷媒吸入管１４よりも小径の凝縮器出口側からの高圧液冷媒管１５を、例えば図２に詳細に示すように、相互に逆向きで螺旋状に巻きつけることにより構成されている。そのため、過冷却熱交換器１３自体の容積も小さく、可及的な小型化が図られる。
【００３３】
また、過冷却熱交換効率の向上により、蒸発器自体の小型、コンパクト化にも有効に寄与し得る。
【００３４】
さらに、図２のように既存の低圧冷媒吸入管１４に巻くことで、吸入ガス圧損の上昇を抑えることができ、ＣＯＰの低下をなくすことが可能である。
【００３５】
なお、図２中の符号１６は、低圧冷媒吸入管１４におけるガス冷媒用のマフラーである。
【００３６】
（その他の実施の形態）
以上の実施の形態では、図２に示すように、分割された第１，第２の熱交換器１３Ａ，１３Ｂを、四方切換弁２から圧縮機１の冷媒吸入口に到る既存の低圧冷媒吸入管１４に対して細径の高圧液冷媒管１５を螺旋状に巻き付ける構造としたが、同第１，第２の熱交換器１３Ａ，１３Ｂは、例えば図３に示すように、低圧冷媒吸入管１４の外周に同低圧冷媒吸入管１４よりも大径の高圧液冷媒管１５を同軸構造に嵌合した二重管構造のものとして、それらを相互に冷媒が逆向きに流れるように配置したものでもよい。
【００３７】
このように、過冷却用の第１，第２の熱交換器１３Ａ，１３Ｂを、それぞれ低圧冷媒吸入管１４に対して高圧液冷媒管１５を同軸構造に嵌合した二重管構成にすると、過冷却熱交換器自体の構造が簡単になる。
【図面の簡単な説明】
【００３８】
【図１】図１は、本願発明の最良の実施の形態に係る空気調和装置の構成を示す冷凍回路図である。
【図２】図２は、同装置の要部である第１，第２の２つの液−ガス熱交換器部分の拡大図である。
【図３】図３は、本願発明のその他の実施の形態に係る空気調和装置の第１，第２の２つの液−ガス熱交換器部分の拡大図である。
【図４】図４は、従来例に係る空気調和装置の構成を示す冷凍回路図である。
【符号の説明】
【００３９】
１は圧縮機、２は四路切換弁、３は室外機側熱交換器、４，６は膨張弁、５はレシーバー、８は室内機側熱交換器、１３Ａは第１の熱交換器、１３Ｂは第２の熱交換器、１４は低圧冷媒吸入管、１５は高圧液冷媒管、１６はマフラーである。